(57)【特許請求の範囲】
【請求項１】
２台のポンプが吸込側合流管および吐出側合流管を介し並列に接続されてなり、かつ前記２台のポンプが交互運転して給水するとともに、流量検出器で給水水量が少量と検出されると、運転していたポンプを停止させる直結給水式給水装置であって、
前記吸込側合流管は、上流側が下側に、下流側が上側に向くよう上下方向に沿って配置される垂直部分、その吸込側に設けられた逆流防止装置、この逆流防止装置の二次側に設けられた前記吐出側合流管と連通するバイパス路、及び、このバイパス路に配設され前記吐出側合流管に向う方向のみに開くバイパス用チェッキ弁を有し、
前記垂直部分は、このバイパス用チェッキ弁と前記各ポンプのポンプ吸込口との間の管路に形成され、
前記流量検出器は、上方に揺動可能としたパドル式の流量センサーから構成され
前記垂直部分に前記流量検出器が取り付けられる
ことを特徴とする直結給水式給水装置。
【請求項２】
２台のポンプが吸込側合流管および吐出側合流管を介し並列に接続されてなり、かつ前記２台のポンプが交互運転して給水するとともに、流量検出器で給水水量が少量と検出されると、運転していたポンプを停止させる直結給水式給水装置であって、
前記吸込側合流管は、吸込側に設けられた逆流防止装置、この逆流防止装置の二次側に設けられた前記吐出側合流管と連通するバイパス路、及び、このバイパス路に配設され前記吐出側合流管に向う方向のみに開くバイパス用チェッキ弁を有し、
前記吸込側合流管から分岐されて前記各ポンプのポンプ吸込口に向う分岐管には、それぞれ上流側が下側に、下流側が上側に向くよう上下方向に沿って配置される垂直部分を有し、
前記流量検出器は、上方に揺動可能としたパドル式の流量センサーから構成され、
前記各垂直部分毎に前記流量検出器が取り付けられる
ことを特徴とする直結給水式給水装置。
【発明の詳細な説明】
【０００１】
【発明の属する技術分野】
本発明は、例えば家庭に給水を行う直結給水式給水装置に関する。
【０００２】
【従来の技術】
アパート、マンションなどでは、水道本管から延びる水道管と、家庭の蛇口につながる給水配管との間に給水装置を接続して、水道管からの圧力水を直接、給水装置のポンプで増圧して、各家庭に供給するようになった。このような水道管に給水装置を直結して給水を行う方式を直結給水式という。
【０００３】
給水装置では、ポンプが故障しても、給水に影響を与えないよう、予備ポンプを備えている。通常は、２台のポンプを用い、これらポンプのポンプ吸込口、ポンプ吐出口に吸込側合流管、吐出側合流管を接続して、並列にポンプを組み、２台のポンプが交互運転するようにしてある。これにより、たとえ一方のポンプが故障しても、他方の健全なポンプが運転して、そのまま給水が継続されるようにしている。
【０００４】
ところで、直結給水式の給水装置では、使用する水量が少量になると、ポンプの運転を停止させることが行われている。このポンプの運転停止は、少水量停止用の流量検出器を用いて行われる。
【０００５】
通常は、ポンプの吐出側に流量検出器を設置することが行われている。
【０００６】
【発明が解決しようとする課題】
ところで、ポンプの吐出側は、チェッキ弁が付く。また騒音対策のためにポンプは、該ポンプに付く配管と共に、ケースやカバーなどで覆われるために、流量検出器を配置する場所がきわめて制約される。
【０００７】
しかも、流量検出器は、少水量をセンサー部材の変位として出力させる都合上、安定した検出動作を発揮させるためには、水流の方向が上昇流であることが求められる。
【０００８】
ところが、ポンプの吐出側は、設置場所に制約が課せられるだけでなく、水平方向か、もしくは下降方向の流れとなるので、少水量停止用の流量検出器の設置は難しいものであった。
【０００９】
本発明は上記事情に着目してなされたもので、その目的とするところは、少水量停止用の流量検出器を、容易に、かつ安定動作が期待できる上昇流の個所に設置することができる直結給水式給水装置を提供することにある。
【００１０】
【課題を解決するための手段】
上記目的を達成するために直結給水式給水装置は、２台のポンプを並列につなぐ吸込側合流管に、上流側が下側に、下流側が上側に向くよう上下方向に沿って配置される垂直部分を形成し、この垂直部分に流量検出器を取り付ける構造として、流量検出器を設置しやすくした。
【００１１】
すなわち、ポンプの吸込側は、吐出側とは違い、チェッキ弁を取り付けないので、場所的な制約が少ない。しかも、ポンプは、通常、下側から吸込んで上側へ吐出させるので、別途、垂直部分を形成しなくとも、吸込側合流管の一部には、上流側が下側に、下流側が上側に向く垂直部分が形成されていることがほとんである。
【００１２】
この吸込側合流管に有する垂直部分に、流量検出器を取り付けるので、少水量停止用の流量検出器は、容易に、かつ安定した動作が発揮されるように取り付けられる。しかも、流量検出器に加わる圧力は、吐出圧力でなくそれよりも低い吸込圧力なので、加わる負荷は軽く、信頼性は高い。
【００１３】
さらに上記目的に加え、逆流防止装置が付き、この逆流防止装置の二次側にチェッキ弁が付いて、高配水時（吸込圧力が目標圧力より高いとき）に、水道管の圧力水がチェッキ弁を通じて吐出側合流管へバイパスされるようにした構造でも、少水量であればポンプの運転停止が行えるよう、吸込側に逆流防止装置を有し、かつこの逆流防止装置の二次側に、吐出側合流管と連通するバイパス路を有するともに該バイパス路に配設され吐出側合流管に向う方向のみに開くバイパス用チェッキ弁を有した吸込側合流管のうち、バイパス用チェッキ弁と各ポンプのポンプ吸込口との間の管路に垂直部分を形成し、この垂直部分に少水量停止用の流量検出器を取り付けるようにした。
【００１４】
すなわち、ポンプ運転中、吸込圧力が増大して目標圧力より高くなって、バイパス用チェッキ弁を通じ吐出側合流管へバイパスすると、流量検出器が、バイパスにより生ずるポンプ吸込口へ向う水量の減少を感知（検出）して、ポンプの運転を停止させる。これにより、ポンプを運転停止している時間が多く採れ、高い省エネルギー効果がもたらせられる。
【００１５】
上記目的に加え、安価にして、吸込側で少水量の検出が行えるよう、流量検出器に、上方に揺動可能としたパドル式の流量センサーを採用したことにある。
【００１６】
上記目的を達成するために、吸込側合流管から分岐されて２台の各ポンプ吸込口に向う分岐管に、それぞれ上流側が下側に、下流側が上側に向くよう上下方向に沿って配置される垂直部分を形成し、この垂直部分毎に流量検出器を取り付ける構造とした。
【００１７】
この給水装置でも、少水量停止用の流量検出器は、容易に、かつ安定した動作が発揮されるように取り付けられる。むろん、流量検出器に加わる圧力は、吐出圧力でなくそれよりも低い吸込圧力なので、流量検出器の信頼性も高くなる。
【００１８】
【発明の実施の形態】
以下、本発明を図１ないし図７に示す第１の実施形態にもとづいて説明する。
【００１９】
図１は、本発明を適用した直結給水式給水装置の正面図、図２は同給水装置の正断面図、図３（ａ），（ｂ）ないし図５は図２中のそれぞれ矢視Ａ〜Ｄから見た側断面図、図６は同給水装置の給水ポンプ配管系を示す正面図、図７は同給水装置の各部の構造を示す図を示していて、図中１は自立可能に構成された架台である。
【００２０】
この架台１は、図７に示されるように四角形の背壁２、コ字状に形成されたスカート板７、左右一対のアンカー用プレート１５を組合わせて形成してある。
【００２１】
詳しくは、背壁２は、上下方向に垂直に延びる角形の背板３と、この背板３の上部縁全体に形成された内向きの天板４と、この天板４と連続する背板３の左右縁全体に形成された内向きの側板５とを有して形成してある。これら三方縁にある天板４および側板５は、いずれも正面方向へ少量、例えば４０ｍｍ程度、突き出ていて、これら内向きに突き出る天板４および側板５がもたらす剛性により、プレートで形成される背壁３で、べこつきといった支障の無い、ポンプ搭載に対して十分に満足する機械的強度を確保している。また左右両方の側板５の下部分からは、コ字形に折り曲げた帯形のプレートが正面方向に突き出ていて、背壁３の下部にコ字状のスカート板７を形成している。このスカート板７のうち一方の壁、例えば左壁には、奥行き側から順に、横方向から外部と配管取り合いをなすための吸込配管用の貫通孔９、ドレン孔１０、ケーブル孔１１が形成されている。スカート板７の右壁には、正面（手前）側から順に、横方向から外部と配管取り合いをなすための吐出配管用の貫通孔１２、ドレン孔１３が形成されている。またスカート板７の各左右側の下端から側板５の各下端に渡り、それぞれ帯板が取着されていて、架台１の下部に左右一対のアンカー用プレート１５を形成している。これにより、架台アンカー用プレート１５を下にし背板３を背にして自立する、奥行き寸法は狭く、高さ寸法の高い架台１を構成してある。なお、各アンカー用プレート１５の板面にはアンカーボルト挿入孔１５ａ（図７のみに図示）が形成してある。
【００２２】
この架台１を形成する背板３の内面には、給水ポンプ機器２０が組み付けてある。すなわち、背板３の左側上段には、内部にインバータ２１ｘや制御部２１ｙ（例えばマイクロコンピュータを有して構成されるもの：図３、図７に図示）等といった各種制御機器を内蔵した角箱形の制御盤２１が，ブラケット２１ａを介して組み付けられている。この制御盤２１の下側には、アキュームレーター２２が組み付けられている。また背板３の右側には、制御盤２１およびアキュームレーター２２と隣接して、縦型のポンプユニット２３が組み付けられている。
【００２３】
詳しくは、ポンプユニット２３は、上部にモーター、例えばローターに永久磁石を用いたブラシレスＤＣモーター２４（以下、単にＤＣモーター２４という）を有し、下部に同ＤＣモーター２４に直結されたポンプ部、例えば多段タービンポンプ部２５（以下、単にポンプ部という）を有して構成される縦型の多段タービンポンプ２６を、２台左右方向に並行に配置し、これに吸込側合流管２７、吐出側合流管２８を組合わせて構成してある。詳しくは、ＤＣモーター２４には、全閉モーターが用いられる。同全閉モーターの上部には、冷却ファンとして、上方に在る吸込口２９ａから吸い込み、下方へ向く吹出口２９ｂからモーター本体の外周面に沿って吹き出すタイプの冷却ファン２９（図２のみに図示）が内蔵してある。多段タービンポンプ２６は、下部に在る下向きに開口するポンプ吸込口３０をもつ吸込ケーシング３１と、上部に在る正面方向に開口するポンプ吐出口３２をもつ吐出ケーシング３３（いずれも図３、図４に図示）との間に、インペラ３４を収めた複数の中間ケーシング３５を締結し、各インペラ３４とＤＣモータ２４から延びるモーター軸２４ａとを連結した構造が用いてある。これら多段タービンポンプ２６の各ポンプ吸込口３０には、メンテナンス用の開閉弁、例えばボール弁３６を介して、左右方向に延びる吸込側合流管２７が着脱可能に接続、例えばフランジ接続で結合してある。吸込側合流管２７は、左側端がプラグ３７で閉止され、右側端が逆Ｌ字形を描くように曲がって下方へ向かいほぼ垂直方向に延びている。なお、吸込側合流管２７の横方向に延びる管部分２７ａには両側に凍結防止用のヒーター３８が組み付けてある。多段タービンポンプ２６の各ポンプ吐出口３２には、同吐出口３２から下方へ延びるＬ形の連結管４０が連結してある（図６に図示）。この連結管４０の上端に形成されているエルボ部４０ａ（ほぼ９０°曲がる部分）には、スイング式のチェッキ弁４０ｂを内蔵させてある。この連結管４０の下端は、ポンプ吸込口３０の位置より、下側となる地点まで延びている。このポンプ吸込口３０から下方にずれた連結管４０の端部に、吸込側と同じく、メンテナンス用の開閉弁、例えばボール弁４１を介して、逆Ｌ字形を描くように曲がる吐出側合流管２８がフランジ接続で連結してある。この吐出側合流管２８の横方向に延びる管部分２８ａの左端には、吐出圧力を検出する圧力検出器１７が組み付けてある。また吐出側合流管２８の下方へ延びる管部分２８ｂは、吸込側合流管２７の下方へ延びる管部分２７ｂ（垂直部分に相当）と向き合うように（ほぼ平行）に配置される。そして、これら管部分２７ｂ，２８ｂの途中が、高配水時（吸込側の圧力が目標圧力より高くとき）に吐出側へバイパスさせるバイパス部４３を介して連結してある（図４に図示）。バイパス部４３は、管部分２７ｂと管部分２８ｂとの両者間を連通するバイパス管４４（バイパス路）と、このバイパス管４４内に収めた、吐出側合流管２８側へ向う方向のみ開く機能をもつバイパス用チェック弁４５とを有して構成してある。
【００２４】
このバイパス用チェック弁４５からポンプ吸込側へ向う吸込側合流管２７の管部分２７ｂ、すなわち上流側が下側に、下流側が上側に向いて水が上昇流で流れる垂直部分には、少水量停止用の流量検出器（目標水量より水量が少なくなるにしたがいポンプ停止させるためのもの）、例えば上方へ揺動可能としたパドル式の流量センサー４６が取り付けられている。流量センサー４６には、図６に示されるようにセンサー本体４６ａから管部分２７ｂ内にパドル４６ｂを突き出し、同パドル４６ｂをほぼ水平な姿勢から上方向へ揺動自在とし、同パドル４６ｂの揺動変位をセンサー本体４６ａに内蔵の検知部４６ｃで検知する構造が用いられている。つまり、重力を利用したパドル４６ｂの揺動変位により、ポンプ吸込側へ向う水量の検出が行えるようにしてある。なお、吐出側合流管２８の横方向に延びる管部分２８ａにも凍結防止用のヒーター４７が組み付けてある。
【００２５】
このポンプユニット２３のうち、吸込側合流管２７の管部分２７ａ（水平方向に延びる部分）の両端側には、図５にも示されるように管部分２７を挟んで側方に互い違いに張り出す矩形状の２つ支持ベース４８が形成してある。また管部分２７ａから下側にずれて配置されている吐出側合流管２８の管部分２８ａの端部（圧力検出器１７側）には、管部分２７ａ側へ張り出す矩形状の支持ベース４９（１個）が形成してある。
【００２６】
これに対して背板３の右側中段には、図７にも示されるようにポンプユニット据付け用の支え部材５０が取り付けてある。支え部材５０は、例えばコ字形に折り曲げた板金で形成されるサポート部材５１の一方の端部を背板３の内面に固定して、板金の両端壁５２を上下二段に配置し、両端壁５２の他方の端部を背板３の内面から突き出させた構造が用いられている。詳しくは、上下二段となる端壁５２は、上側が三角形状をなし、下側が帯形状をなしていて、いずれも架台１の天板４，側壁５の張出し長さ以上の寸法で正面方向に突き出ている。このうち上段の端壁５２の先端側と基部側とには、各支持ベース４８の位置と対応して、例えばゴム部材とばね部材とを組合わせてなる偏平矩形状の弾性部材５３が取着されている。また下段の端壁５２の先端側には、支持ベース４９の位置と対応して、同様の偏平矩形状の弾性部材５４が取着されている。
【００２７】
ポンプユニット２３は、弾性部材５３で形成される各据付座に、各支持ベース４８を載せ、弾性部材５４で形成される据付座に、支持ベース４９を載せることによって、吸込側合流管２７と吐出側合流管２８の両間隔を支持スパンとして、支え部材５０に安定した姿勢で載置させてある。そして、図３に示されるように正面方向に突き出る吸込側合流管２７の支持ベース４８（１個のベースだけ）を、締結具、ボルト５０ａで支え部材５０に固定することによって、重量のあるポンプユニット２３の全体を、冷却ファン２９の吸込口２９ａが架台１の最も上部に配置され、多段タービンポンプ部２５につながる吸込側／吐出側の配管が下側に配置される姿勢で、安定して架台１に組み付けてある。
【００２８】
なお、ポンプユニット２３は、頭部側が弾性部材５３，５４の弾性で振れないよう、同ユニット２３の高い位置で補助的に支えてある。例えば図２、図６および図７に示されるように吐出ケーシング３３から突き出たブラケット５５を、背板３の内面に弾性変位可能に取り付けた支持具、例えばゴム部材などの弾性部材５６により弾性支持された支持ボルト５７で、ポンプ荷重が作用しないよう横方向から支えることによって、ポンプユニット２３が振れないように規制させてある。
【００２９】
また支え部材５０の近傍となる背板３の内面には、制振部材、例えば粘性の高いプレート状の制振材５８が取着されていて、背板３が支え部材５０から伝わるタービンポンプ２６の振動で振れない構造にしている（図７に図示）。但し、３ａは、背板３の内面に、支え部材５０の近傍を通過するよう、幅方向に連続して設けられた補強材である（図７に図示）。
【００３０】
アキュムレーター２２も、ポンプユニット２３と同様、背板３の内面から、側板５の張出し長さ以上、正面方向に突き出る支え部材５９（例えばチャンネル部材よりなる）の先端部に、アキュームレーター２２の下部に形成した支持ベース２２ａを締結、例えばボルトで締結することによって、架台１に組み付けてある。そして、このアキュームレーター２２の出入口２２ｂが、メンテナンス用の開閉弁、例えばボール弁６０、フレキシブル管６１を介して、チェック弁４５より下流となる吐出側合流管２８の地点に接続してある。
【００３１】
一方、図２〜図４に示されるように背板３、側板４およびスカート板７で囲まれる角形の開口１ａには、同開口を塞ぐようにドレン受け用のトレイ６５が設けてある。トレイ６５は、例えばＶ字状に折れ曲がったプレートを、背板３と側板５とスカート板７とがなす角形の枠内に収めて、地上から離れた高さの地点において開口１ａを塞ぎ、同プレートの周縁部を背板３、側板５およびスカート板７の内面に水密となるよう接合してなる。むろん、プレートは、外部との取り合い損わないよう貫通孔９，１２およびケーブル孔１１よりも下方の地点に組み付けてある。このトレイ６５で、ポンプユニット２３や配管などから滴下する結露水などのドレンを受けて、Ｖ字形の傾斜面が交わる最下部に溜まるようにしている。これで、屋内でも給水装置が使用できる構造にしてある。なお、トレイ６５の板面には、上下方向から外部と配管取り合いをなすための吸込配管用と吐出配管用の貫通孔６６が形成してある。但し、貫通孔６６は、使用しないときはキャップ６７で塞いである。
【００３２】
また集溜部を形成するトレイ６１の最下部の両側下部には、同最下部からスカート板７の左右ドレン孔１０（トレイ６１の最下部より下側にある）へドレン水を導く継手、例えばエルボ管６８が取り付けてある。外部（スカート板７の外面）に臨むエルボ管６８の端部は、通常はキャップ（図示しない）で塞がれていて、同キャップを取り外し、代わりに排水管（図示しない）を接続すれば、所望の場所にトレイ６５に溜まるドレン水を排水できるようにもしてある。
【００３３】
また背板３の下段には、左右方向に延びるよう、逆流防止装置７０（中間室７０ａと同中間室７０ａを挟んで配置される一対のチャッキ弁７０ｂを組合わせたもの）を組み付けた吸込配管７１が、ポンプユニット２３のときと同様の手法で組み付けてある。なお、７０ｃは逆流防止装置７０の漏水口（逆流した水を排水させる出口）を示す。
【００３４】
すなわち、吸込配管７１は、左側から順に、例えば水道本管からの水道管９４と接続可能な下向きエルボ管７２（入側）、メンテナンス用の開閉弁７３、ストレーナー７４、逆流防止装置７０、上向きエルボ管７５（出側）を連結して構成される。そして、逆流防止装置７０の一次側となるエルボ管７２のコーナー部には、吸込圧力（水道本管の圧力）を検出する圧力検出器７２ａが組み付けてある。また吸込配管７１の側部には、左右両側に脚部７６を有するプレート７７が添設してある。但し、脚部７６は、吸込配管７１の側部から同吸込配管７１の下側へ張り出すＬ字状のプレート部分で形成してある。
【００３５】
背板３の下段の左右両側には、側板５の張出し長さ以上、正面方向に突き出る支え部材７８がそれぞれ取り付けられている。支え部材７８は、いずれも一端が背板３の内面に固定され他端がトレイ６５の上面に固定されたＬ帯形のプレートと、この各プレートの先端部上面に取付けた偏平矩形状の弾性部材７９（例えばゴム部材とばね部材とを組合わせて形成されるもの）が取着されている。
【００３６】
逆流防止装置７０を含む吸込配管７１は、図２〜図４に示されるようにこの弾性部材７９で形成される各据付座に、脚部７６を載せ、これを、締結具、例えばボルトで支え部材７８に締結することによって、背板３に組み付けてある。
【００３７】
この吸込配管７１のエルボ管７５（上向き）端は、メンテナンス用の開閉弁、例えばボール弁８０を介して、吸込側合流管２７の入口端と接続、例えばフランジ接続で着脱可能に接続されている。これで、逆流防止装置７０の二次側にバイパス用チェッキ弁４５を配置させて、水道管側の圧力が目標圧力より高くなるとき、水道管からの圧力水がバイパス用チェッキ弁４５を通じて吐出側合流管２８へバイパスされるようにしている。
【００３８】
なお、最も凍結しやすい環境に置かれる圧力検出器７２ａの近傍、例えばエルボ管７２の側面には、凍結防止用のヒーター８１が取り付けてある。
【００３９】
そして、各種機器が組み付けられた架台１と、同機器を覆うポンプカバー８５とが組み合わさり、図１〜図４に示されるような奥行き寸法が狭く高さ寸法の高い、縦型の屋外仕様の給水装置を構成している。
【００４０】
具体的には、ポンプカバー８５は、内のり寸法を架台１の正面から見た外形より若干、大きくし、背面、下面の二面が開口した箱状をなしている。そして、このポンプカバー８５が、正面方向から各機器を覆うように架台１の周りに被してある。具体的には、ポンプカバー８５は、同カバー８５の上側の縁部内面が天板４と重なり、左右方向の縁部内面が左右の側板５と重なり、下部の周縁部内面がスカート板７およびそれに続く側板５部分と重なるよう、架台１の正面方向から被せて、各種機器がある領域をほぼ密閉にしている。そして、上側の縁部両側から天板４の左右方向両側に挿入される装置吊り下げ用のアイボルト８６（給水装置全体を吊り下げるときに用いる部材）で、ポンプカバー８５と架台１とを両者間にシール部材を挟んで締結してある。なお、８９ａは天板４，ポンプカバー８５の上縁部に形成したアイボルト用のボルト孔を示している。
【００４１】
またポンプカバー８５は、図３および図４に示されるようにタービンポンプ２６と向き合う正面壁８５ａが、連結管４０の中段付近から上方に向うにしたがいＤＣモーター２４との間が狭まる方向に傾斜していて、同傾斜部８５ｂによる空間の制限により、ＤＣモーター２４の正面側で、冷却ファン２９でのショートサーキット（吸込口２９ａからの吹出風がそのまま吹出口２９ｂに吸込まれる現象）が起きにくくしている。そして、このタービンポンプ２６と接近する傾斜部８５ｂの内面には、タービンポンプ各部からの騒音を効果的に吸収するよう吸音材８７が設けてある。
【００４２】
またポンプカバー８５の内面には、スカート板７の上端位置と同じかそれより若干上側の位置から上方の地点に渡り、逆流防止装置７０を含む吸込配管７１の周りを囲むように断熱性を有した吸音材８８が取り付けてあり、内部雰囲気が最も冷たくなる装置下部を保温すると同時に、ポンプカバー８５の下部端から内部の騒音が漏れないようにしている。
【００４３】
この他、ポンプカバー８５の内面各部には吸音材８９が取り付けられていて、ポンプカバー８５から外部へ騒音が漏れるのを防ぐ構造にしてある。さらに背板３の上部背面には、転倒防止用の金具、すなわちボルト挿入孔９０ａを有するプレート９０が取着されていて、給水装置の設置時、建物などの壁面にプレート９０を締結すれば、据え付けた給水装置が転倒しないようにしている。
【００４４】
またポンプカバー８５の正面壁８５ａの下段には、逆流防止装置７０の漏水状態を外部から目視で点検するための漏水点検用の窓９１が設けられている。また上段には、制御部２１の各種表示部２１ｂを外部から目視するための窓９２ａ，ポンプ状態を目視するための窓９２ｂが設けられている。
【００４５】
こうした給水装置を据え付けるときは、屋外あるいは屋内の据付場所に、アンカー用プレート１５をアンカーボルト９３で締結し、転倒防止用のプレート９０を架台１の裏面に添う建物の壁面などにボルト止めして給水装置を固定してから、例えばスカート板７の貫通孔９，１２を用いて、水道本管（図示しない）から分かれた水道管９４を吸込配管７１の入口に接続し、同じく吐出側合流管２８の出口を蛇口（図示しない）につながる給水配管９５に接続すればよい。
【００４６】
ここで、制御盤２１は、背板３の内面に添わせて配線されたケーブル類（図示しない）を通じて、各機器および各センサーに接続されている。
【００４７】
この制御盤２１の制御部２１ｙには、２台タービンポンプ２６の交互運転、ならび一方のタービンポンプ２６が故障したら他方のタービンポンプ２６に代替させる機能が設定されている。さらに同制御部２１ｙには、設定された目標圧力から吐出圧力が低下したら、目標圧力に保つよう各ポンプ２６をインバータ制御する機能、低水量になったら運転中のタービンポンプ２６を停止させる機能が設定されていて、これらの機能により、所要の給水が行われるようにしている。
【００４８】
すなわち、今、制御盤２１の制御部２１ｙは、吐出側の圧力検出器１７からの圧力信号により、吐出圧力が目標圧力より低いことを検出したとする。すると、制御部２１ｙは、２台あるタービンポンプ２６のうちの一方で、かつ健全なポンプを選択して（１台）、運転を開始する。そして、目標圧力を一定に保つよう（一定圧制御）、同タービンポンプ２６をインバータ運転する。
【００４９】
これにより、タービンポンプ２６は、吸込配管７１，吸込側合流管２７を通じて吸込まれる水道管９４からの水を一定圧となるよう増圧し、この増圧した水を連結管４０，吐出側合流管２８，給水配管９５を通じて、蛇口へ供給する。
【００５０】
また使用水量が少なくなると、流量センサー４６の流量信号にしたがい、同タービンポンプ２６の回転数（能力）を低下させる。さらに所定使用水量以下、すなわち少水量と呼ばれる水量になると、運転しているタービンポンプ２６を停止させ、アキュームレータ２２による給水に移る。
【００５１】
また運転中、高配水時、すなわち水道管９４側（水道本管側）の圧力が目標圧力を超える圧力になると、タービンポンプ２６へ向う水が、バイパス用チェッキ弁４５を通じて、吐出側合流管２８へバイパス（短絡）される。またチェッキ弁４５とポンプ吸込口３０との間にある流量センサー４６が、タービンポンプ２６へ向う水量の減少（少水量）を感知（検出）して、タービンポンプ２６の運転を停止させる。これにより、給水装置で増圧を行わずに、直接、水道本管からの圧力水が蛇口へ導かれる。
【００５２】
こうした給水装置は、少水量停止用の流量センサー４６（流量検出器）の設置が難しいとされるが、本発明では、吸込側合流管２７に形成された上流側が下側に下流側が上側に向く垂直な管部分２７ｂに同流量センサー４６（流量検出器）を設置するようにしたので、取り付けやすい。
【００５３】
すなわち、ポンプ吸込側は、吐出側とは違い、場所的な制約が少ないので、垂直部分が形成しやすい。しかも、給水装置のポンプは、通常、下側から吸込んで上側へ吐出させるので、別途、垂直部分を形成しなくとも、吸込側合流管２７の一部には、上流側が下側に、下流側が上側に向く垂直部分、すなわち管部分２７ｂが形成されていることがほとんどである。
【００５４】
したがって、この管部分２７に、流量センサー４６（流量検出器）を取り付けるようにしたことで、流量センサー４６は設置しやすく、容易に流量センサー４６を取り付けることができる。しかも、同部分２７は上昇流となる部位なので、流量センサー４６（流量検出器）は、安定した動作が約束できる上、一つのセンサーですむ。そのうえ、流量センサー４６（流量検出器）に加わる圧力は、吐出圧力でなくそれよりも低い吸込圧力なので、加わる負荷は軽く、信頼性は高い。特にパドル式の流量センサー４６は、簡単な構造で安価であり、また吸込圧力（低圧力）に合う構造なので、吸込側で少水量の検出を行うセンサーには好適である。
【００５５】
またバイパス用チェッキ弁４５とポンプ吸込口３０との間にある管部分２７ｂ（垂直部分）に少水量停止用の流量センサー４６を取り付けることにより、吸込側に逆流防止装置７０が付き、この逆流防止装置７０の二次側にバイパス用チェッキ弁７０が付き、高配水時に、水道管からの圧力水がバイパス用チェッキ弁７０を通じて吐出側合流管２８へバイパスされるようにした構造でも、先に延べたようにポンプ吸込側が少水量になれば、増圧運転のポンプ制御を行う流量センサー４６がこれを検知して、ポンプ運転を停止させることができる。これにより、ポンプの運転を停止している時間が多く採れ、その分、高い少エネルギー効果をもたらすことができる。しかも、高配水時の専用の流量センサーを必要とせずにすむ。
【００５６】
図８（ａ），（ａ）は、本発明の第２の実施形態を示す。
【００５７】
同実施形態は、第１の実施形態の変形例で、第１の実施形態のように２台のポンプにつながる吸込側合流管に垂直部分を形成するのではなく、吸込側合流管２７から分岐されて２台の各ポンプ吸込口３０にそれぞれ向う分岐管２７ｃ毎に、それぞれ少水量停止用の流量センサー４６を取り付けるようにしたものである。
【００５８】
具体的には、分岐管２７は、いずれも上流側が下側に、下流側が上側に向いて上下方向に配置される垂直部分となっているので、同垂直部分を利用して、流量センサー４６を設置してある。なお、本実施形態では、設置スペースを確保するために、第１の実施形態のときよりも、分岐管２７の長さ寸法を長くしてある。
【００５９】
このようにしても、第１の実施形態と同様の効果を奏する。むろん、各分岐管２７毎の流量センサー４６により、高配水時、少水量になれば、交互運転しているポンプを停止させることはいうまでもない。
【００６０】
なお、図８（ａ），（ｂ）において、第１の実施形態と同じ部分には同一符号を付してその説明を省略した。
【００６１】
【発明の効果】
以上説明したように請求項１、請求項２に記載の発明によれば、少水量停止用の流量検出器を、容易に、かつ安定動作が期待できる上昇流の個所に設置することができる。
【００６２】
さらに上記効果に加え、高配水時の少水量になるときでも、同じ流量検出器を用いて、ポンプ運転を停止させることができる。これにより、ポンプを運転停止している時間を多く採ることができ、高い省エネルギー効果を得ることができるといった効果を奏する。
【００６３】
さらに上記効果に加え、安価、かつ簡単な流量センサーで、良好に吸込側で少水量の検出を行えるといった効果を奏する。
【図面の簡単な説明】
【図１】本発明の第１の実施形態に係る給水装置の正面図。
【図２】同給水装置のポンプカバーを断面した正面図。
【図３】（ａ）は図２中のＡ−Ａに沿う側断面図。
（ｂ）は図２中のＢ−Ｂに沿う側断面図。
【図４】図２中のＣ−Ｃに沿う側断面図。
【図５】図２中のＤ−Ｄに沿う平断面図。
【図６】２台のポンプに接続される吸込側合流管、吐出側合流管を説明するための図。
【図７】給水ポンプの全体の構造を説明するための分解斜視図。
【図８】本発明の第２の実施形態に係る給水装置の要部を説明するための図。
【符号の説明】
２３…縦型のポンプユニット
２４…ブラシレスＤＣモータ（モーター）
２５…多段タービンポンプ部
２６…多段タービンポンプ（ポンプ）
２７…吸込側合流管
２７ｂ，２７ｃ…垂直な管部分、垂直な分岐管（垂直部分）
２８…吐出側合流管
４４…バイパス管（バイパス路）
４５…バイパス用チェッキ弁
４６…流量センサー（流量検出器）
７０…逆流防止装置
７１…吸込配管。
【図１】
0004263812.tif 000002
【図２】
0004263812.tif 000003
【図３】
0004263812.tif 000004
【図４】
0004263812.tif 000005
【図５】
0004263812.tif 000006
【図６】
0004263812.tif 000007
【図７】
0004263812.tif 000008
【図８】
0004263812.tif 000009